(57)【要約】      （修正有）【課題】エアレスポンプ機構において、低粘度の液状内容物に対する可動シール部材と容器本体内周面との間のシール性向上と、当該可動シール部材が容器本体に組み込まれた状態で内容物未充填の容器本体外面へフィルムシュリンク加工を行う場合の当該シール性の劣化防止とを図る。【解決手段】可動シール部材（２）と容器本体内周面（１ａ）とのシール作用部分（２ａ，２ｂ）を、変形を受けても瞬時に回復する性状のゴムまたは熱可塑性エラストマーからなる反発弾性部材で形成した。【選択図】図１
2010159077.tif 000002
【特許請求の範囲】
【請求項１】
エアレスポンプ機構の容器本体内周面に密接してシール作用を呈し、かつ、内容物吐出動作にともなう容器本体の内容物収容空間域の圧力低下に応じて外空圧の作用により移動する、内容物収容空間域画定用の可動シール部材において、
少なくとも前記容器本体内周面とのシール作用部分が、変形を受けても瞬時に回復する性状のゴムまたは熱可塑性エラストマーからなる反発弾性部材で形成され、
容器本体に組み込まれた状態で当該容器本体の外面部分にフィルムを被せて加熱するシュリンク加工後も、前記内周面とのシール性が損なわれない、
ことを特徴とするエアレスポンプ機構の内容物収容空間域画定用の可動シール部材。
【請求項２】
前記シール作用部分を含む形状の全体が前記反発弾性部材で形成されている、
ことを特徴とする請求項１記載のエアレスポンプ機構の内容物収容空間域画定用の可動シール部材。
【請求項３】
請求項１または請求項２に記載の内容物収容空間域画定用の可動シール部材を備え
前記容器本体の外面部分に前記フィルムがシュリンク加工され、
前記容器本体に液状内容物が収容されている、
ことを特徴とするポンプ式製品。
【発明の詳細な説明】
【技術分野】
【０００１】
本発明は、エアレスポンプ機構の容器本体内周面に密接して容器本体の液状内容物に対するシール作用を呈し、かつ、内容物吐出動作にともなう容器本体の内容物収容空間域の圧力低下に応じて外気圧の作用により移動する、内容物収容空間域画定用の可動シール部材などに関する。なお、本明細書で用いる「液状内容物」はクリーム状やゾル状などの各種内容物を含む概念である。
【０００２】
特にエアレスポンプ機構の容器本体内周面とのシール作用部分を、反発弾性部材で形成した、すなわち変形を受けても瞬時に回復する性状のゴムまたは熱可塑性エラストマーからなる弾性部材で形成した、内容物収容空間域画定用の可動シール部材に関する。
【０００３】
このような反発弾性部材からなるシール作用部分を備えた可動シール部材で容器本体の内容物収容空間域を画定することにより、低粘度の液状内容物に対しても十分なシール性を確保でき、また、当該可動シール部材が容器本体に組み込まれた状態で内容物未充填の容器本体外面へのフィルムシュリンク加工を行った後も、当該可動シール部材と容器本体内周面との間のシール性が劣化するのを防止できる。
【０００４】
これは、ゴムまたは熱可塑性エラストマーからなる比較的軟質の反発弾性部材と容器本体内周面との間にもともと強い密接状態が形成され、また、反発弾性部材自体がフィルムシュリンク加工時の熱処理による収縮などの影響をほとんど受けないからである。
【０００５】
本発明のエアレスポンプ機構における可動シール部材の有効的な使用対象内容物は、粘度が低くていわばさらっとした液状内容物、例えば薬剤，石けん，消毒剤，化粧品，洗剤，染毛剤，シャンプー，リンス，殺虫剤などである。なお、本発明の可動シール部材が高粘度の液状内容物にも適用できることは勿論である。
【背景技術】
【０００６】
エアレスポンプ機構、すなわち容器本体の内容物収容空間域を画定する可動シール部材（容器本体内周面に対する底部側の可動シール部材）が、当該ポンプ機構の内容物吐出動作にともなう容器本体内容物の減少分（圧力低下分）に応じて外気圧の作用により上方向に移動するポンプ機構自体は、周知であり、例えば下記特許文献１，２で開示される。
【０００７】
ここで、容器本体の内容物収容空間域の底面を構成する可動シール部材はポリエチレンなどの比較的硬いプラスチック素材が用いられている。
【先行技術文献】
【特許文献】
【０００８】
【特許文献１】特開２００６−４４１７０号公報
【特許文献２】特開平１０−５９４０５号公報
【発明の概要】
【発明が解決しようとする課題】
【０００９】
このようなエアレスポンプ機構におけるプラスチック製の可動シール部材は、もっぱら高粘度の液状内容物を対象としており、低粘度の液状内容物に対するシール性の点では改善の余地を残したものであった。
【００１０】
また、容器本体にプラスチック製の可動シール部材を組み込んだ状態で内容物未充填の容器本体外周面などにフィルムシュリンク加工を行うと、そこでの必須処理であるフィルム収縮用熱処理のために当該可動シール部材まで収縮してしまい、容器本体内周面とのシール性自体が損なわれやすいという点でも改善の余地を残していた。
【００１１】
そこで、本発明では、エアレスポンプ機構の内容物収容空間域を画定する可動シール部材のシール作用部分を、さらには当該可動シール部材の全体を、ゴムまたは熱可塑性エラストマーからなる比較的軟質の反発弾性部材で形成して、低粘度の液状内容物の使用時にも容器本体内周面との間の十分なシール性が担保されることを目的とする。
【００１２】
かつ、この反発弾性部材からなる可動シール部材が容器本体に組み込まれた状態で内容物未充填の容器本体外面へのフィルムシュリンク加工（熱処理など）を行った場合にも、当該可動シール部材はほとんど収縮せずに、当該可動シール部材と容器本体内周面との間の良好なシール性が維持されることを目的とする。
【課題を解決するための手段】
【００１３】
本発明は、以上の課題を次のようにして解決する。
（１）エアレスポンプ機構の容器本体（例えば後述の容器本体１）内周面に密接してシール作用を呈し、かつ、内容物吐出動作にともなう容器本体の内容物収容空間域の圧力低下に応じて外空圧の作用により移動する、内容物収容空間域画定用の可動シール部材（例えば後述の可動底部材２，３）を、
少なくとも前記容器本体内周面とのシール作用部分（例えば後述の逆スカート部２ａ，スカート部２ｂ，逆スカート部３ｂ，スカート部３ｃ）が、変形を受けても瞬時に回復する性状のゴムまたは熱可塑性エラストマーからなる反発弾性部材で形成され、
容器本体に組み込まれた状態で当該容器本体の外面部分にフィルム（例えば後述のフィルム５）を被せて加熱するシュリンク加工後も、前記容器本体内周面とのシール性が損なわれない、
形のものに設定する。
（２）上記（１）において、
前記シール作用部分を含む形状の全体（例えば後述の可動底部材２）を前記反発弾性部材で形成する。
【００１４】
本発明は、以上の構成からなるエアレスポンプ機構の内容物収容空間域画定用の可動シール部材および当該可動シール部材を備えたポンプ式製品を対象としている。
【発明の効果】
【００１５】
本発明はこのように、エアレスポンプ機構の内容物収容空間域を画定する可動シール部材のシール作用部分を、さらには当該可動シール部材の全体を、ゴムまたは熱可塑性エラストマーからなる比較的軟質の反発弾性部材で形成しているため、低粘度および高粘度のいずれの液状内容物に対しても、容器本体内周面との間の十分なシール性を確保することができる。
【００１６】
また、この反発弾性部材からなる可動シール部材が容器本体に組み込まれた状態で内容物未充填の容器本体外面へのフィルムシュリンク加工（熱処理など）を行った場合にも、当該可動シール部材はほとんど収縮せずに、当該可動シール部材と容器本体内周面との間の良好なシール性を維持することができる。この非収縮性効果は可動シール部材の全体を反発弾性部材で形成した場合に顕著となる。
【００１７】
これらの効果を奏するのは、ゴムまたは熱可塑性エラストマーからなる比較的軟質の反発弾性部材と容器本体内周面との間にもともと強い密接状態が形成され、また、反発弾性部材自体がフィルムシュリンク加工時の熱処理による収縮などの影響をほとんど受けないからである。
【００１８】
また、通常、可動シール部材が密接する容器本体内周面にシリコーン潤滑剤などを塗布して当該可動シール部材の移動の円滑化を図っているところ、そのシール作用部分に上記反発弾性部材を用いているため、シリコーン潤滑剤の塗布層を薄くすることができる。
【図面の簡単な説明】
【００１９】
【図１】容器本体内部の内容物収容空間域を画定する可動シール部材の全体をゴム材で形成したエアレスポンプ機構の初期状態を示す説明図である。
【図２】容器本体内部の内容物収容空間域を画定する可動シール部材の容器本体内周面に対するシール作用部分（外側部分）をゴム材で形成し、その内側部分をプラスチック材で形成したエアレスポンプ機構の初期状態を示す説明図である。
【発明を実施するための形態】
【００２０】
図１および図２を用いて本発明を実施するための最良の形態を説明する。
【００２１】
図１および図２で用いるアルファベット付き参照番号の構成要素（例えば内周面１ａ）は原則として、当該参照番号の数字部分の構成要素（例えば容器本体１）の一部であることを示している。
【００２２】
図１および図２において、
１は液状内容物を収容する容器本体，
１ａは後述の可動底部材を密接したシール状態で案内する内周面，
１ｂは後述のネジキャップと螺合する筒状首部，
２は容器本体の内周面１ａに密接して全体がゴム材からなり、内容物吐出動作モードでは当該内周面に案内されながら上方向に移動する可動底部材（シール部材），
２ａは内周面１ａとのシール作用を呈する逆スカート部（上側），
２ｂは内周面１ａとのシール作用を呈するスカート部（下側），
３は容器本体の内周面１ａに密接する外側ゴム部材とこれに嵌合した内側プラスチック部材とからなり、内容物吐出動作モードでは外側ゴム部材が内周面１ａに案内されながら上方向に移動する可動底部材（シール部材），
３ａは内周面１ａとのシール作用を呈する円筒状の外側ゴム部材，
３ｂは当該外側ゴム部材の逆スカート部（上側），
３ｃは当該外側ゴム部材のスカート部（下側），
３ｄは逆キャップ状の内側プラスチック部材，
４は容器本体１の下端側外周面に取り付けられた底蓋，
４ａは外気流入用の孔部，
４ｂは初期状態の可動底部材２，３を支持する環状起立部，
５は容器本体１および底蓋４を一体化した後の外周面部分にシュリンク加工で形成されたフィルム，
６は容器本体の筒状首部１ｂと螺合するカバー体，
７は筒状首部１ｂの上面環状部分とカバー体６の天井面縁側環状部分との間に保持されて周知のポンプ機構が設定されるハウジング，
８は筒状首部１ｂの上面環状部分とハウジング７の環状鍔部の下面との間に挟持された環状シール部材，
９はハウジング７の内部空間側に配設される周知のポンプ機構（図示省略）のステム（ピストン）と連結された操作ボタン，
９ａは液状内容物の通路部分，
９ｂは当該通路部分の出力部となる液状内容物吐出用の孔部，
１０はカバー体６に着脱自在であってポンプ式製品を使用する時には取り外されるキャップ，
Ａは容器本体１，可動底部材２、３およびハウジング７などで画定されてその中に液状内容物が収容される容器本体内部空間域，
Ｂは上記周知のポンプ機構の吐出弁および吸込弁（図示省略）で画定されてその中に次の吐出対象となる液状内容物が収容されるハウジング内部空間域，
をそれぞれ示している。
【００２３】
ここで、可動底部材２および外側ゴム部材３ａはニトリルブタジエンゴム（ＮＢＲ)，シリコーンゴム，ブチルゴム，フッ素ゴムなどからなるゴム材である。
【００２４】
なお、可動底部材２および外側ゴム部材３ａとして、ゴム材の代わりに、各種の熱可塑性エラストマー、例えばオレフィン系熱可塑性エラストマーやスチレン系熱可塑性エラストマーを用いてもよい。
【００２５】
フィルム５は、塩化ビニル，ポリスチレン，ポリプロピレンなどからなる各種フィルムを容器本体１および底蓋４の外周面に包装したあと加熱して収縮させたものである。
【００２６】
容器本体１，内側プラスチック部材３ｄ，底蓋４，カバー体６，ハウジング７，操作ボタン９およびキャップ１０はそれぞれ、ポリプロピレン，ポリエチレン，ポリアセタール，ナイロン，ポリブチレンテレフタレートなどからなるプラスチック製のものである。環状シール部材８はゴム製またはプラスチック製のものである。
【００２７】
図示したエアレスポンプ機構の中で本発明の実施形態に特有な構成要素は可動底部材２，３の材質およびフィルム５のみといえる。エアレスポンプ機構自体は汎用のものであり、ハウジング７の内部から操作ボタン９にいたるポンプ機構およびそこでの吐出弁および吸込弁の関連動作も周知である。
【００２８】
エアレスポンプ機構の場合、吐出動作によりハウジング内部空間域Ｂの液状内容物が孔部９ｂから外部に吐出されると、その吐出相当量の液状内容物が容器本体内部空間域Ａからハウジング内部空間域Ｂに流入する。
【００２９】
この液状内容物の流入にともなって容器本体内部空間域Ａの圧力が大気圧よりも小さくなるので、可動底部材２，３が大気圧で押される形で図示上方向に移動する。
【００３０】
本発明は、エアレスポンプ機構の内容物吐出動作に際して必然的に図示上方向に移動する可動底部材２，３に関して、
(11)容器本体１の内周面との間のシール性が、低粘度の液状内容物に対しても十分に担保され、
(12)かつ、当該可動底部材を容器本体１に組み込んだ状態で内容物未充填のその外周面などに（熱処理をともなう）フィルムシュリンク包装をおこなうときの、当該熱処理による当該可動底部材の収縮などの影響を極力小さくして、当該可動底部材の容器本体内周面に対するシール性能の劣化防止を図れる、
ようにしたものである。
【００３１】
以上のシール性の担保およびシール性能の劣化防止の機能を併せ備えた素材として上述のゴム材や熱可塑性エラストマーを用いている。
【００３２】
なお、シール用外側部材とその内側のプラスチック部材とからなる可動底部材３の製作に際して、
(21)ゴム製のシール用外側部材を用いる場合は、当該外側部材を内側プラスチック部材に嵌合させ、
(22)熱可塑性エラストマー製のシール用外側部材を用いる場合は、当該外側部材および内側プラスチック部材を２色成形する。
【００３３】
エアレスポンプ機構の周知の内容物吐出動作は次のとおりである。
先ず、キャップ１０を取り外してから操作ボタン９を押圧すると、当該操作ボタンおよびこれと一体のステムが下動してハウジング内部空間域Ｂ（＝上流側の吸込弁，下流側の吐出弁やステムなどで画定される吐出側の内容物収容空間域）の容量が減少する。
【００３４】
この容量減少にともないハウジング内部空間域Ｂが加圧されて吐出弁が開き、当該内部空間域に貯留されていた液状内容物は吐出弁から操作ボタン９の通路部分９ａを経て孔部９ｂから外部空間域に吐出される。このとき吸込弁は勿論閉じたままである。
【００３５】
そして、利用者が操作ボタン９の押圧操作をやめると、操作ボタン９およびこれと一体のステムは、ハウジング内部のコイルスプリング（図示省略）の弾性作用により上方向に移動して静止モード位置に復帰する。
【００３６】
操作ボタン９の復帰動作にともなってハウジング内部空間域Ｂの容積が増え、当該内部空間域の圧力が低下する。この圧力低下により吸込弁が開き、容器本体内部空間域Ａに収容されている液状内容物がハウジング内部空間域Ｂに流入する。このとき吐出弁は閉じている。そして双方の内部空間域の圧力差が略なくなった時点でハウジング内部空間域Ｂの吸込弁は閉じて静止モードに移行する。ハウジング内部空間域Ｂに流入した液状内容物は次の操作ボタン押圧時の吐出対象内容物である。
【００３７】
ここで容器本体内部空間域Ａの液状内容物がハウジング内部空間域Ｂへ流入することにより、内部空間域Ａの圧力が大気圧より低くなる。
【００３８】
その結果、可動底部材２，３は底蓋４の側の大気圧の作用で図示上方向に移動する。なお、可動底部材２，３と底蓋４との間の空間域は孔部４ａを介して常に外部空間と連通している。
【００３９】
本発明が以上の実施形態に限定されないことは勿論である。
例えば可動底部材２および外側ゴム部材３ａも上記材質のものに限定されない。低粘度の液状内容物に対するシール性を確保し、かつ、シュリンク装飾加工の熱処理にともなう影響（収縮）をほとんどうけない、といった条件を満たす任意の材質のものを用いることができる。
【００４０】
また、フィルム５も上記材質のものに限定されるものではない。容器本体１はガラス製，陶器製，金属製のものでもよい。
【００４１】
また、容器本体１の外周面やフィルム５などには、印刷（シルクスクリーン印刷，グラビア印刷，フレキソ印刷，パッド印刷，含浸印刷），メタライジング（めっき，真空蒸着，スパッタリング，イオンプレーティング），ホットスタンピング，塗装，染色などの各種装飾処理をおこなうことができる。
【００４２】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００４３】
容器本体に収容する内容物には種々の液状形態のものを用いることができ、内容物に配合される成分としては例えば、粉状物，油成分，アルコール類，界面活性剤，高分子化合物，各用途に応じた有効成分，水などが挙げられる。
【００４４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４５】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４６】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００４７】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００４８】
高分子化合物としては、メチルセルロース，ゼラチン，デンプン，カゼイン，ヒドロキシエチルセルロース，キサンタンガム，カルボキシビニルポリマーなどを用いる。
【００４９】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５０】
さらに、上記内容物以外の、懸濁剤，紫外線吸収剤，乳化剤，保湿剤，酸化防止剤、金属イオン封鎖剤なども用いることができる。
【符号の説明】
【００５１】
１：容器本体
１ａ：内周面
１ｂ：筒状首部
２：可動底部材（シール部材）
２ａ：逆スカート部（上側）
２ｂ：スカート部（下側）
３：可動底部材（シール部材）
３ａ：外側ゴム部材
３ｂ：逆スカート部（上側）
３ｃ：スカート部（下側）
３ｄ：内側プラスチック部材
４：底蓋
４ａ：外気流入用の孔部
４ｂ：環状起立部
５：フィルム
６：カバー体
７：ハウジング
８：環状シール部材
９：操作ボタン
９ａ：通路部分
９ｂ：液状内容物吐出用の孔部
１０：キャップ
Ａ：容器本体内部空間域
Ｂ：ハウジング内部空間域
【図１】
2010159077.tif 000003
【図２】
2010159077.tif 000004